(57)【要約】【課題】他の道具等に頼ることなく、綴じ部を設けたシートを提供する。【解決手段】綴じ部を設けたシートであって、前記綴じ部がシートの所定位置に設けられた突出片形成手段と、該突出片を差し込むための保持部形成手段からなる綴じ部を設けたシートによって解決したものであり、本発明の綴じ部を設けたシートは切り抜き折り曲げ差し込み結ぶことで、とめ具や用具を使うことなく、どこでも誰でも簡単にシートをまとめ綴じることができるシートである。【選択図】  図１
2014008757.tif 000002
【特許請求の範囲】
【請求項１】
綴じ部を設けたシートであって、前記綴じ部がシートの所定位置に設けられた突出片形成手段と、該突出片を差し込むための保持部形成手段からなることを特徴とする綴じ部を有するシート。
【請求項２】
前記シートの前記突出片の形成方向に対して前記保持部の形成方向が傾斜しており該傾斜角度は９０度よりも小さい鋭角であることを特徴とする請求項１に記載の綴じ部を有するシート。
【請求項３】
前記突出片に識別手段が設けられていることを特徴とする請求項１又は請求項２記載の綴じ部を有するシート。
【請求項４】
前記シートの綴じ部を用いて綴じる際の手順として（a）前記シートの前記突出片をシートの表面側に折り曲げる手順と（b）前記突出片を重ねて、シートの縦方向の端縁に略平行に垂下させるように折り返す手順と（c）前記突出片の先端部を保持部に貫通させて差し込み、差し込み部を形成する手順と（d）裏面に貫通させた突出片をシートの縦方向の端縁を迂回して、シートの上端縁に略平行に折り曲げる手順と（e）前記差し込み部に突出片の先端を差し込む手順とからなることを特徴とする請求項１〜３のいずれかに記載の綴じ部を有するシートの綴じ方法。
【発明の詳細な説明】
【技術分野】
【０００１】
本発明は、シートを綴じ込むとき、シート自らまとめ綴じることができる綴じ部を設けたシートに関するものである。
【背景技術】
【０００２】
従来のシートを綴じることに関しては、ほとんどが糊、紐、クリップ、綴じ具等、シート以外の用具を使用して綴じられていた。
【０００３】
従って、綴じるための用具がない場合にはシートを綴じることが難しく不便であった。
【０００４】
用具を使用しないでシート自らでシートを綴じることができる綴じ部を設けたシートの既出願（特許文献１）がある。
上記特許文献１は、シートの角先端部に矢印型切断紙構造と、その下に矢印型切断紙を折り曲げ差し込み穿設を設け、差し込み固定するものである。しかしこれは、切断紙構造が矢印型であるため差し込むのが難しく、枚数が増すにつれて、その厚み等で一層差し込みが困難になる。また、用紙の角先端部に、矢印型切断紙を持つため、一般のシートへの使用が不可能であるなどの欠点があった。
【先行技術文献】
【特許文献】
【０００５】
【特許文献１】特開２００３−２５１９５９号公報
【発明の概要】
【発明が解決しようとする課題】
【０００６】
本発明は上記特許文献１に記載の発明のような、切り込みを設けて矢印型切断紙を入れるため、ちぎれやすく入れにくいという従来の欠点を改良したものであり、他の用具に頼ることなく、シート自らでシートを綴じることができる綴じ部を有し、シートの枚数が増えても簡単にシートをまとめ綴じることができるとともに、一般のシートやレポート用紙等にも使用可能なるシートを提供することを目的としている。
【課題を解決するための手段】
【０００７】
上記課題を解決するためになされた本願発明は請求項１の綴じ部を設けたシートであって、前記綴じ部がシートの所定位置に設けられた突出片形成手段と、該突出片を差し込むための保持部形成手段からなることを特徴とする。
【０００８】
本願発明の請求項２は綴じ部を設けたシートであって、前記シートの前記突出片の形成方向に対して前記保持部の形成方向が傾斜しており該傾斜角度は、９０度よりも小さい鋭角であることを特徴とする請求項１に記載の綴じ部を有するシートを特徴とする。
【０００９】
本願発明の請求項３は綴じ部を設けたシートであって、前記突出片に識別手段が設けられていることを特徴とする請求項１または請求項２記載の綴じ部を有するシートを特徴とする。
【００１０】
本願発明の請求項４は請求項１〜３に記載の綴じ部を設けたシートであって、前記シートの綴じ部を用いて綴じる際の手順として
（a）前記シートの前記突出片をシートの表面側に折り曲げる手順と
（b）前記突出片を重ねて、シートの縦方向の端縁に略平行に垂下させるように折り返す手順と
（c）前記突出片の先端部を保持部に貫通させて差し込み、差し込み部を形成する手順と
（d）裏面に貫通させた突出片をシートの縦方向の端縁を迂回して、シートの上端縁に略平行に折り曲げる手順と
（e）前記差し込み部に突出片の先端を差し込む手順とからなることを特徴とする。
【発明の効果】
【００１１】
本発明の綴じ部を有するシートの使用方法は、綴じるための用具等がなくても、誰にでも簡単にシートをまとめ綴じることができる。また、保持部より突出片の幅が小さく形成されているので、枚数が増えても簡単に突出片を保持部の長さに差し込むことができる。加えて、突出片を折り曲げ保持部を貫通し、さらに裏面より迂回して表面紙差し込み部に貫通してシートを綴じるため、結ぶのと同様の効果も得られ、しっかり綴じることができる。
【図面の簡単な説明】
【００１２】
【図１】図１は本発明の綴じ部を有するシートを示す平面図である。
【図２】図２は本発明の綴じ部を有するシートの、閉じた状態を示す平面図である。
【図３】図３は、本発明の綴じ部を有するシートの閉じた状態を示す斜視図である。
【図４】図４の（ａ）（ｂ）（ｃ）（ｄ）（ｅ）（ｆ）は本発明の綴じ部を有するシートの綴じ方法の手順を示す説明図である。
【発明を実施するための形態】
【００１３】
以下、本発明の綴じ部を有するシート及び綴じ方法について、図面に従って詳細に説明する。
【実施例１】
【００１４】
図１は本発明の綴じ部を有するシートの平面図である。又図２と図３は本発明のシートの綴じた状態を示す平面図と斜視図である。本発明の綴じ部を有するシートは、シート１にミシン目打ちされた突出片形成手段２と、同じくミシン目打ちされた保持部形成手段３より成り立つ。
【００１５】
初めミシン目打ちされた突出片形成手段２とミシン目打ちされた保持部形成手段３を、シート１の上部位置におよそ１８０度方向に設けて、突出片４を立ち上げ、およそ１８０度折り返して保持部５に差し込んだが、枚数が多くなると横にずれやすいことがわかった。
【００１６】
そこで突出片４の折り返す角度を変えることで、ずれを少なくできるのではないかと考えた。保持部５を突出片４とおよそ１８０度の位置ではなく、該突出片４の下方およそ９０度の位置に設けて該突出片４を差し込んだ。これによって力の加わる方向が変わり、横にずれにくいことがわかった。
【００１７】
角度を変えて折り返すことにより、横にずれにくくなることがわかったので、さらにずれにくくするため、突出片４を保持部５に差し込んだあと、再びシート１の端縁方向へおよそ９０度折り曲げることとし、保持部５を左下がりおよそ３０度〜６０度に設けると好適である。
【００１８】
さらにしっかり綴じるため、突出片４をシート１の裏面側から該シート１の端縁を迂回して、表面紙の保持部５に突出片４を貫通してできた差し込み部６に貫通して結んだ。
【００１９】
また、角度を変えて折り返し結ぶことで、しっかり綴じることができるようになったので、保持部５の幅を広くとることが可能になり、さらに突出片４の先端に矢印型等を設ける必要もなくなるため、突出片４を保持部５に楽に差し込むことが可能になった。
これで本発明が完成した。本発明の綴じ具を有するシートは、綴じ部を設けたシートであって、前記綴じ部がシートの所定位置に設けられた突出片形成手段２と、該突出片を差し込むための保持部形成手段３からなり、前記突出片４の形成方向に対して、前記保持部５の形成方向が傾斜しており、該傾斜角度は90度よりも小さい鋭角であることを特徴とする綴じ具を有するシートである。前記突出片形成手段２及び保持部形成手段３は、例えば前記したミシン目打ちの他、片押し等によって切り目をつけることが好適である。また、これらに限定されるものではない。
【００２０】
次に本発明の綴じ部を有するシートの使い方を順序だてて説明する。
図１の（a）に示すように本発明の綴じ部を有するシートは、初めの状態において突出片形成手段２と保持部形成手段３を有する平坦なシートである。（b）は綴じ部を設けたシートの綴じ部を用いて綴じる際、突出片４をシート１の表面側に重ねて折り曲げ、保持部５に差し込む直前の手順の説明図である。（c）は綴じ部を設けたシートの綴じ部を用いて綴じる際、突出片４をシート１の縦方向の端縁に略平行に垂下させるように保持部５に差し込んだ手順の説明図である。（d）は綴じ部を設けたシートの綴じ部を用いて綴じる際、突出片４の先端部を保持部５に貫通させて差し込み、差し込み部６を形成する手順の説明図である。（e）は綴じ部を設けたシートの綴じ部を用いて綴じる際、シート１の裏面に貫通させた突出片４をシート１の縦方向の端縁を迂回してシート１の上端縁に略平行に折り曲げ、差し込み部６に突出片４の先端を差し込む直前の手順の説明図である。（f）は綴じ部を設けたシートの綴じ部を用いて綴じる際の完成図である。
まず本発明のシート１の突出片形成手段２と保持部形成手段３を切り抜いて、突出片４と保持部５を設ける。綴じようとするシートすべての突出片４をきちんと重ねた後、該突出片４を下方およそ９０度に方向を変えて折り返し、保持部５に貫通して、差し込み部６を形成する。次に、シート１裏面に出た該突出片４を、シート１端縁方向へおよそ９０度折り曲げ、シート１端縁を迂回して、表面紙の差し込み部６に貫通して結ぶ。
【００２１】
本発明の綴じ部を有するシートは、実施では２０枚綴じ込むことは可能であったが、突出片４の厚さがおよそ２ミリになるので、１０〜１５枚をめやすにすることが望ましい。
【００２２】
また本発明の綴じ部を有するシートは実施例に記載しただけでなく、突出片形成手段２、保持部形成手段３を、ミシン目打ちのみでなく、他の方法で何箇所かを留めることも可能である。また容易に指で押せば切り抜ける、切り込み線を設けることも可能である。さらに突出片形成手段２と保持部形成手段３は、実施例にあげたシートの左上の場所だけに限るものではなく、また、突出片形成手段２と保持部形成手段３の数も同様であり、複数あってもよいものとする。なお、突出片４をシート１の縦方向端縁９を迂回して表面紙の差し込み部６に貫通して結ぶ時にできる結び目を附箋代わりとして利用することも可能である。実施例ではコピー用紙を使用したが、シートにおいては印刷用紙、新聞紙、レポート用紙、コート紙、便箋等、その他のシートや紙以外のシートを用いることも可能であり、これらに限定するものではない。また、突出片形成手段２に設けられた例えばミシン目から突出片４を折り曲げて突出させた際にシートにあながあくが、これをシートの孔１１と称する。また、突出片４の幅を突出片の幅４ａと符合を付した。また、保持部５の幅を保持部の幅５ａと符合を付した。前記保持部の幅５ａの寸法に対して突出片の幅４ａの寸法は５０％以下であることが好適である。閉じ作業が無理なく行える。
【００２３】
突出片４の裏側に識別手段７として色をつけると効果的である。カラーマーキング、蛍光塗料、印刷インク等あらかじめ色をつけておいたり、白紙にしておき各自好みのマーカー等で色別することもできる。この他、色またはその他の方法で目印をつける工夫はいろいろ考えられ、この限りではない。また、突出片４の先端の形状は実施例に示すように丸みをおびた曲線であると保持部５への差し込みにとって好適である。しかしながら、この形状に限定するものではない。一例として図視しないが、先端の尖った三角形状であってもよい。また、長円形状であってもよいものとする。
【産業上の利用可能性】
【００２４】
本発明の綴じ部を有するシートは、綴じ用冶具を用いることなく、コピー用紙、便箋、印刷用紙、新聞紙、スクラック紙、各種報告書、レポート用紙、メモ用紙等を極めて簡単に綴じることが可能となり、産業上の利用価値は大きい。
【符号の説明】
【００２５】
１    シート
２    突出片形成手段
３    保持部形成手段
４    突出片
４a   突出片の幅
５    保持部
５a   保持部の幅
６    差し込み部
７    識別手段
８    傾斜角度
９    シートの縦方向の端線
１０  シートの上端線
１１  シートの孔
【図１】
2014008757.tif 000003
【図２】
2014008757.tif 000004
【図３】
2014008757.tif 000005
【図４】
2014008757.tif 000006
【手続補正書】
【提出日】平成25年7月31日(2013.7.31)
【手続補正１】
【補正対象書類名】特許請求の範囲
【補正対象項目名】全文
【補正方法】変更
【補正の内容】
【特許請求の範囲】
【請求項１】
綴じ部を設けたシートであって、前記綴じ部がシートの所定位置に設けられた突出片形
成手段と、該突出片を差し込むための保持部形成手段からなり、前記シートの前記突出片の形成方向に対して前記保持部の形成方向が傾斜しており該傾斜角度は９０度よりも小さい鋭角であることを特徴とする綴じ部を有するシート。
【請求項２】
前記突出片に識別手段が設けられていることを特徴とする請求項１記載の綴じ部を有するシート。
【請求項３】
前記シートの綴じ部を用いて綴じる際の手順として（a）前記シートの前記突出片をシートの表面側に折り曲げる手順と（b）前記突出片を重ねて、シートの縦方向の端縁に略平行に垂下させるように折り返す手順と（c）前記突出片の先端部を保持部に貫通させて差し込み、差し込み部を形成する手順と（d）裏面に貫通させた突出片をシートの縦方向の端縁を迂回して、シートの上端縁に略平行に折り曲げる手順と（e）前記差し込み部に突出片の先端を差し込む手順とからなることを特徴とする請求項１又は２に記載の綴じ部を有するシートの綴じ方法。
【手続補正２】
【補正対象書類名】明細書
【補正対象項目名】０００７
【補正方法】変更
【補正の内容】
【０００７】
上記課題を解決するためになされた本願発明の請求項１は綴じ部を設けたシートであって、前記綴じ部がシートの所定位置に設けられた突出片形成手段と、該突出片を差し込むための保持部形成手段からなり、前記シートの前記突出片の形成方向に対して前記保持部の形成方向が傾斜しており該傾斜角度は、９０度よりも小さい鋭角であることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本願発明の請求項２は請求項１に記載の綴じ部を設けたシートであって、前記突出片に識別手段が設けられていることを特徴とする。
【手続補正５】
【補正対象書類名】明細書
【補正対象項目名】００１０
【補正方法】変更
【補正の内容】
【００１０】
本願発明の請求項３は請求項１又は２に記載の綴じ部を設けたシートの綴じ部を用いて綴じる際の手順として
（a）前記シートの前記突出片をシートの表面側に折り曲げる手順と
（b）前記突出片を重ねて、シートの縦方向の端縁に略平行に垂下させるように折り返す手順と
（c）前記突出片の先端部を保持部に貫通させて差し込み、差し込み部を形成する手順と
（d）裏面に貫通させた突出片をシートの縦方向の端縁を迂回して、シートの上端縁に略平行に折り曲げる手順と
（e）前記差し込み部に突出片の先端を差し込む手順とからなることを特徴とする。
【手続補正６】
【補正対象書類名】明細書
【補正対象項目名】００２０
【補正方法】変更
【補正の内容】
【００２０】
次に本発明の綴じ部を有するシートの使い方を順序だてて説明する。
図４の（a）に示すように本発明の綴じ部を有するシートは、初めの状態において突出片形成手段２と保持部形成手段３を有する平坦なシートである。（b）は綴じ部を設けたシートの綴じ部を用いて綴じる際、突出片４をシート１の表面側に重ねて折り曲げ、保持部５に差し込む直前の手順の説明図である。（c）は綴じ部を設けたシートの綴じ部を用いて綴じる際、突出片４をシート１の縦方向の端縁に略平行に垂下させるように保持部５に差し込んだ手順の説明図である。（d）は綴じ部を設けたシートの綴じ部を用いて綴じる際、突出片４の先端部を保持部５に貫通させて差し込み、差し込み部６を形成する手順の説明図である。（e）は綴じ部を設けたシートの綴じ部を用いて綴じる際、シート１の裏面に貫通させた突出片４をシート１の縦方向の端縁を迂回してシート１の上端縁に略平行に折り曲げ、差し込み部６に突出片４の先端を差し込む直前の手順の説明図である。（f）は綴じ部を設けたシートの綴じ部を用いて綴じる際の完成図である。まず本発明のシート１の突出片形成手段２と保持部形成手段３を切り抜いて、突出片４と保持部５を設ける。綴じようとするシートすべての突出片４をきちんと重ねた後、該突出片４を下方およそ９０度に方向を変えて折り返し、保持部５に貫通して、差し込み部６を形成する。次に、シート１裏面に出た該突出片４を、シート１端縁方向へおよそ９０度折り曲げ、シート１端縁を迂回して、表面紙の差し込み部６に貫通して結ぶ。